(57)【要約】【課題】ユーザが所望するチャンネルを迅速に選択する。【解決手段】選択部１４は、テレビジョン受信装置１００の電源投入時において、テレビジョン受信装置１００が番組を受信可能な全てのチャンネルのうち、ユーザが最も選択する確率が高いと推測されるチャンネルを、番組履歴データベースＤＢの各番組履歴情報に基づいて選択する。【選択図】図１
2013201497.tif 000002
【特許請求の範囲】
【請求項１】
映像である番組を表示するテレビジョン受信装置であって、
前記テレビジョン受信装置が表示した、過去の所定期間における複数の番組の各々の情報を示す番組履歴情報を記録する履歴記録部と、
前記テレビジョン受信装置の電源投入の際に、前記テレビジョン受信装置が番組を受信可能な全てのチャンネルのうち、ユーザが最も選択する確率が高いと推測されるチャンネルを、各前記番組履歴情報に基づいて選択する選択部と、を備える
テレビジョン受信装置。
【請求項２】
前記テレビジョン受信装置は、さらに、
各前記番組履歴情報が示す前記番組の情報を用いて、前記番組を受信可能な全てのチャンネルのうち、少なくとも前記電源投入の際において前記ユーザが選択する確率が高いと推測されるチャンネル程大きい値を示すように、該チャンネル毎にポイントを算出するポイント算出部を備え、
前記選択部は、前記ポイント算出部により算出された、値が最も大きいポイントに対応するチャンネルを選択する
請求項１に記載のテレビジョン受信装置。
【請求項３】
前記テレビジョン受信装置は、前記ユーザが操作するリモートコントローラにより制御され、
前記ポイント算出部は、さらに、算出された各前記ポイントの値が大きい順または小さい順に、該ポイントに対応する、番組を受信可能なチャンネルである受信可能チャンネルを並べ替え、
前記選択部は、
（ａ）前記リモートコントローラから送信される、チャンネルを昇順で切り替えるための信号を前記テレビジョン受信装置が受信する毎に、並べ替えられた各前記受信可能チャンネルを、該受信可能チャンネルに対応するポイントの値が小さい順または大きい順の一方で選択し、
（ｂ）前記リモートコントローラから送信される、チャンネルを降順で切り替えるための信号を前記テレビジョン受信装置が受信する毎に、並べ替えられた各前記受信可能チャンネルを、該受信可能チャンネルに対応するポイントの値が大きい順または小さい順の他方で選択する
請求項２に記載のテレビジョン受信装置。
【請求項４】
前記ポイント算出部は、各前記番組履歴情報が示す前記番組の情報を用いて、前記電源投入後の時間経過に従って、前記番組を受信可能な全てのチャンネルのうち、前記ユーザが選択する確率が高いと推測されるチャンネル程大きい値を示すように、該チャンネル毎にポイントを算出する計算処理を繰り返し行い、
前記選択部は、前記電源投入の際に前記選択部により選択されたチャンネルとは異なるチャンネルの番組を前記テレビジョン受信装置が表示しているときに、前記リモートコントローラからチャンネルを昇順または降順で切り替えるための信号をテレビジョン受信装置が受信した場合、前記計算処理により算出された、値が最も大きい最新のポイントに対応するチャンネルを選択し、
前記テレビジョン受信装置は、前記最新のポイントに対応する前記選択されたチャンネルの番組を表示する
請求項３に記載のテレビジョン受信装置。
【請求項５】
前記テレビジョン受信装置は、さらに、
前記計算処理が繰り返し行われた後、前記選択部が、所定の閾値より大きい値を示すポイントに対応するチャンネルを選択していない場合、前記閾値より大きい値を示すポイントに対応するチャンネルの番組が始まった旨のメッセージを、一定期間において表示する表示部を備える
請求項４に記載のテレビジョン受信装置。
【請求項６】
映像である番組を表示するテレビジョン受信装置が行うチャンネル選択方法であって、
前記テレビジョン受信装置が表示した、過去の所定期間における複数の番組の各々の情報を示す番組履歴情報を記録するステップと、
前記テレビジョン受信装置の電源投入の際に、前記テレビジョン受信装置が番組を受信可能な全てのチャンネルのうち、ユーザが最も選択する確率が高いと推測されるチャンネルを、各前記番組履歴情報に基づいて選択するステップと、を含む
チャンネル選択方法。
【発明の詳細な説明】
【技術分野】
【０００１】
本発明は、チャンネルを選択するための処理を行うテレビジョン受信装置およびチャンネル選択方法に関する。
【背景技術】
【０００２】
近年、テレビジョン放送のデジタル化により、地上波、ＢＳ（Broadcasting Satellite）、ＣＳ（Communications Satellite）と言った多様な放送波と共に、番組（コンテンツ）も数多く存在するようになった。このような膨大な放送コンテンツから、ユーザは、電源起動スイッチ、もしくはリモートコントローラによるテレビジョン受信装置の電源投入後、放送波の種類の選択、及びチャンネルの選択（選局）をして、所望の番組を視聴する必要がある。すなわち、テレビジョン受信装置の電源投入から所望の番組を視聴するまでの一連の操作が煩雑になりつつある。
【０００３】
また、リモートコントローラ等に配置されるテンキーの数以上の数のチャンネルが存在する為、チャンネルの選択に関しても、ユーザは、複数桁の数字をテンキーにより押す事でしか選択できない場合も有り得る。
【０００４】
一方、ユーザは所望のコンテンツの放送波の種類やチャンネル番号を覚えていない場合、新聞、雑誌、インターネット等の番組表で予め調べておくか、一旦、ＥＰＧ（Electronic Program Guide）を起動してから所望の番組を探して選択する必要がある。
【０００５】
そこで、上記の様なテレビジョン受信装置の電源投入から、放送波の選択、及びチャンネルの選択による番組視聴までの一連の操作の煩わしさを軽減する事で、ユーザが短時間に、番組検索や選択の意識をせずに直感的に見たい番組を選択する方法が考案されている。
【０００６】
例えば、特許文献１では、ユーザの嗜好を、過去の履歴やキーワードから判断して、ユーザに番組情報を提供することで、番組選択の負担を軽減する技術（以下、従来技術Ａともいう）が開示されている。また、特許文献２では、ユーザの嗜好から仮想番組表を提供する事で、ユーザの番組選択の使い勝手の向上を図るための技術（以下、従来技術Ｂともいう）が開示されている。
【０００７】
すなわち、従来技術Ａ，Ｂでは、ユーザの嗜好に合わせたコンテンツのリスト表示や推薦を行うことで、ユーザのチャンネル選択行為を容易にするための、ユーザへの情報を提供する技術である。
【先行技術文献】
【特許文献】
【０００８】
【特許文献１】特開２０００−２０１３０３号公報
【特許文献２】特開２０００−３４１５９６号公報
【発明の概要】
【発明が解決しようとする課題】
【０００９】
しかしながら、チャンネル選択の向上の技術として、従来技術Ａ，Ｂのように、ユーザに番組選択の為に新たな情報を提供する技術、提供する情報を簡素化する技術等はあるが、ユーザが情報を認知してからチャンネルを選択するという煩わしさを無くす事はできない。そのため、従来技術Ａ，Ｂでは、ユーザが番組検索や番組選択の意識をせずに、直感的に所望のチャンネル（番組）に辿り着くことは出来ない。
【００１０】
本発明は、このような問題を解決するためになされたものであり、ユーザが所望するチャンネルを迅速に選択することを可能としたテレビジョン受信装置等を提供することを目的とする。
【課題を解決するための手段】
【００１１】
上記目的を達成するために、本発明の一態様に係るテレビジョン受信装置は、映像である番組を表示する。前記テレビジョン受信装置は、前記テレビジョン受信装置が表示した、過去の所定期間における複数の番組の各々の情報を示す番組履歴情報を記録する履歴記録部と、前記テレビジョン受信装置の電源投入の際に、前記テレビジョン受信装置が番組を受信可能な全てのチャンネルのうち、ユーザが最も選択する確率が高いと推測されるチャンネルを、各前記番組履歴情報に基づいて選択する選択部と、を備える。
【発明の効果】
【００１２】
本発明によれば、選択部は、前記テレビジョン受信装置の電源投入時において、前記テレビジョン受信装置が番組を受信可能な全てのチャンネルのうち、ユーザが最も選択する確率が高いと推測されるチャンネルを選択する。
【００１３】
これにより、テレビジョン受信装置の電源投入時に、ユーザが意識することなく、ユーザが最も選択する確率が高いと推測される番組を表示するためのチャンネルを選択される。したがって、ユーザが所望するチャンネルを迅速に選択することができる。
【図面の簡単な説明】
【００１４】
【図１】本実施の形態に係るテレビジョン受信装置およびリモートコントローラの構成を示すブロック図である。
【図２】番組履歴データベースの一例を示す図である。
【図３】履歴情報記録処理のフローチャートである。
【図４】選択処理のフローチャートである。
【図５】選択処理Ａのフローチャートである。
【発明を実施するための形態】
【００１５】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１６】
（実施の形態１）
図１は、本実施の形態に係るテレビジョン受信装置１００およびリモートコントローラ２００の構成を示すブロック図である。
【００１７】
テレビジョン受信装置１００は、動作モードとして、通常モードと、待機モードとを有する。
【００１８】
通常モードは、テレビジョン受信装置１００の主電源がオンであり、かつ、テレビジョン受信装置１００が、映像である番組を表示可能なモードである。なお、本明細書において、番組とは、映像で表現される映像コンテンツであるとする。
【００１９】
待機モードは、テレビジョン受信装置１００の主電源がオフであり、かつ、テレビジョン受信装置１００が、番組を表示不能なモードである。なお、待機モードのテレビジョン受信装置１００は、リモートコントローラ２００からの信号を受信可能である。
【００２０】
テレビジョン受信装置１００には、図示しない電源ボタン、チャンネルボタン等が設けられている。電源ボタンは、ユーザにより押下されることによりテレビジョン受信装置１００の動作モードを切替えるためのボタンである。
【００２１】
電源ボタンのユーザによる押下操作により、待機モードのテレビジョン受信装置１００の動作モードが通常モードに変更されたり、通常モードのテレビジョン受信装置１００の動作モードが待機モードに変更されたりする。
【００２２】
チャンネルボタンには、特定のチャンネルが割り当てられている。チャンネルボタンは、ユーザにより押下されることにより、テレビジョン受信装置１００に、当該特定のチャンネルの番組を表示させるためのボタンである。
【００２３】
リモートコントローラ２００は、テレビジョン受信装置１００を制御するための装置である。すなわち、リモートコントローラ２００は、当該リモートコントローラ２００に対するユーザの操作があった場合、赤外線等を用いて、当該操作に対応する信号を、テレビジョン受信装置１００へ送信する。これにより、テレビジョン受信装置１００は、ユーザが操作するリモートコントローラ２００により制御される。
【００２４】
リモートコントローラ２００は、電源ボタン５０と、昇順選択ボタン５１ａと、降順選択ボタン５１ｂとを含む。
【００２５】
電源ボタン５０は、ユーザにより押下されることにより電源信号を出力するためのボタンである。電源信号は、テレビジョン受信装置１００の動作モードを切替えるための信号である。具体的には、電源信号は、テレビジョン受信装置１００の動作モードが待機モードである場合、待機モードのテレビジョン受信装置１００の動作モードを、通常モードにするための信号である。また、電源信号は、通常モードのテレビジョン受信装置１００の動作モードを、待機モードにするための信号である。
【００２６】
昇順選択ボタン５１ａおよび降順選択ボタン５１ｂは、詳細は後述するが、ユーザにより押下されることにより、現在選択されているチャンネルから別のチャンネルを選択（選局）するためのボタンである。昇順選択ボタン５１ａは、押下されることにより、チャンネルを昇順で切替えるための昇順選択信号を、リモートコントローラ２００に出力させるためのボタンである。降順選択ボタン５１ｂは、押下されることにより、チャンネルを降順で切替えるための降順選択信号を、リモートコントローラ２００に出力させるためのボタンである。
【００２７】
以下においては、チャンネルを選択するための信号を、チャンネル選択信号ともいう。昇順選択信号および降順選択信号の各々は、チャンネル選択信号である。
【００２８】
リモートコントローラ２００は、昇順選択ボタン５１ａまたは降順選択ボタン５１ｂが操作（押下）されることにより、番組を選択するための処理を行う番組選択装置として機能する。
【００２９】
なお、リモートコントローラ２００は、さらに、図示しないテンキー、放送波ボタン、番組表ボタンおよび番組選択ボタン等を有する。なお、テンキー、放送波ボタン、番組表ボタンおよび番組選択ボタンは、一般的なものであるため、以下簡単に説明する。
【００３０】
テンキーは、ユーザにより押下されることにより、リモートコントローラ２００にチャンネル選択信号を出力させるためのキーである。放送波ボタンは、地上波、ＢＳ波、ＣＳ波等の放送波を選択するためのボタンである。放送波ボタンは、地上波ボタン、ＢＳボタン、ＣＳボタンを有する。
【００３１】
地上波ボタンは、押下されることにより、地上波が選択された旨を示す地上波選択信号をリモートコントローラ２００に出力させるためのボタンである。ＢＳボタンは、押下されることにより、ＢＳ波が選択された旨を示すＢＳ波選択信号をリモートコントローラ２００に出力させるためのボタンである。ＣＳボタンは、押下されることにより、ＣＳ波が選択された旨を示すＣＳ波選択信号をリモートコントローラ２００に出力させるためのボタンである。以下においては、地上波選択信号、ＢＳ波選択信号およびＣＳ波選択信号の各々を、放送波選択信号ともいう。
【００３２】
リモートコントローラ２００が出力する各種信号（例えば、チャンネル選択信号）は、ユーザの操作に従ったユーザの指示である。
【００３３】
番組表ボタンは、番組表を呼び出すためのボタンである。番組選択ボタンは、番組を選択するボタンである。
【００３４】
次に、テレビジョン受信装置１００について説明する。
【００３５】
テレビジョン受信装置１００は、複数個のチューナを備える。本実施の形態に係るテレビジョン受信装置１００は、一例として、地上波チューナ１１と、ＢＳチューナ１２と、ＣＳチューナ１３とを備える。また、テレビジョン受信装置１００は、さらに、選択部１４と、受信部１５と、制御部２０と、履歴記録部４０と、情報整理部４１と、選択指示部４２と、表示部６０とを備える。
【００３６】
制御部２０は、選択部１４、履歴記録部４０、情報整理部４１、選択指示部４２および表示部６０を制御する。
【００３７】
地上波チューナ１１は、図示しないアンテナから受信した地上デジタル放送波を復調して、放送波信号としての地上デジタル信号を取得する。地上デジタル信号は、地上波に対応する複数のチャンネルの各々に対応する番組（映像コンテンツ）を含む。そして、地上波チューナ１１は、地上デジタル信号を、選択部１４へ送信する。
【００３８】
ＢＳチューナ１２は、図示しないアンテナから受信したＢＳデジタル放送波を復調して、放送波信号としてのＢＳデジタル信号を取得する。ＢＳデジタル信号は、ＢＳ波に対応する複数のチャンネルの各々に対応する番組（映像コンテンツ）を含む。そして、ＢＳチューナ１２は、ＢＳデジタル信号を、選択部１４へ送信する。
【００３９】
ＣＳチューナ１３は、図示しないアンテナから受信したＣＳデジタル放送波を復調して、放送波信号としてのＣＳデジタル信号を取得する。ＣＳデジタル信号は、ＣＳ波に対応する複数のチャンネルの各々に対応する番組（映像コンテンツ）を含む。そして、ＣＳチューナ１３は、ＣＳデジタル信号を、選択部１４へ送信する。
【００４０】
以下においては、地上波チューナ１１、ＢＳチューナ１２およびＣＳチューナ１３の各々を、単に、受信チューナともいう。
【００４１】
受信部１５は、無線通信等により、信号を受信する機能を有する。
【００４２】
選択部１４は、受信部１５が放送波選択信号を受信した場合、受信した当該放送波選択信号が示す放送波に対応する放送波信号を選択する。また、選択部１４は、受信部１５がチャンネル選択信号を受信した場合、選択している放送波信号が示す複数のチャンネルのうち、受信したチャンネル選択信号により特定される１つのチャンネルを選択（選局）する。
【００４３】
また、選択部１４は、前述のチャンネルボタンのユーザによる押下操作が行われた場合、当該チャンネルボタンに割り当てられたチャンネルを選択（選局）する。
【００４４】
表示部６０は、文字、画像（映像）等を表示するディスプレイである。表示部６０は、選択部１４により選択されたチャンネルの番組（映像コンテンツ）を表示する。表示部６０は、一例として、ユーザの指示としてのチャンネル選択信号の受信に応じて選択部１４により選択されたチャンネルの番組を表示する。
【００４５】
以下においては、選択部１４により選択されたチャンネルを、選択チャンネルともいう。また、チャンネル選択信号の受信またはチャンネルボタンの押下操作に応じて選択部１４により選択されたチャンネルの番組を、選択番組ともいう。以下においては、チャンネル選択信号の受信またはチャンネルボタンの押下操作を選択指示ともいう。
【００４６】
履歴記録部４０は、詳細は後述するが、表示部６０が表示した番組（すなわち、ユーザが視聴した番組）の情報を、放送波単位、チャンネル単位、および番組のジャンル単位で記録する。当該放送波は、地上波、ＢＳ波、ＣＳ波等である。番組のジャンルは、例えば、ニュース、ドラマ、音楽、スポーツ、アニメ、子供向け、バラエティ、情報等に分類される。当該番組の情報には、番組が表示された時間帯に関する、曜日、時刻といったインデックスが対応づけられる。
【００４７】
少し具体的には、履歴記録部４０は、選択指示に応じて選択部１４がチャンネルを選択する毎に、表示部６０（テレビジョン受信装置１００）が表示している、選択番組の情報を、番組履歴情報として、番組履歴データベースに記録する。番組履歴情報の記録が複数回行われることにより、複数の番組履歴情報を示す番組履歴データベースＤＢが構成される。
【００４８】
情報整理部４１は、詳細は後述するが、ユーザの嗜好の強いチャンネル程、当該チャンネルに、大きい値を示すポイントを対応づける（割り当てる）。
【００４９】
少し具体的には、情報整理部４１は、各番組履歴情報が示す番組の情報を用いて、番組を受信可能な全てのチャンネルのうち、少なくとも電源投入の際においてユーザが選択する確率が高いと推測されるチャンネル程大きい値を示すように、該チャンネル毎にポイントを算出する。
【００５０】
すなわち、情報整理部４１は、番組履歴データベースＤＢを用いて、全ての受信チューナが番組を受信可能な全てのチャンネルに対し、ポイントを算出するポイント算出部である。ポイントは、番組が表示されている現在の時間帯におけるチャンネル単位、放送波単位およびジャンル単位で、重み係数を用いて算出される。
【００５１】
情報整理部４１は、各チャンネルに、算出したポイントを対応付ける（割り当てる）。また、情報整理部４１は、ポイントの値が大きい順で、当該ポイントに対応する、現在番組を受信可能な各チャンネルを並び替える。
【００５２】
情報整理部４１は、時刻ポイント算出部４１ａと、チャンネルポイント算出部４１ｂジャンルポイント算出部４１ｃと、放送波ポイント算出部４１ｄとを含む。
【００５３】
時刻ポイント算出部４１ａは、詳細は後述するが、時刻を考慮してポイントを算出する。チャンネルポイント算出部４１ｂ、ジャンルポイント算出部４１ｃおよび放送波ポイント算出部４１ｄの各々は、詳細は後述するが、時刻を考慮せずにポイントを算出する。
【００５４】
図２は、番組履歴データベースＤＢの一例を示す図である。番組履歴データベースＤＢは、１週間分の複数の番組履歴情報を示す。以下においては、番組履歴データベースＤＢを、単に、ＤＢとも表記する。
【００５５】
図２において、「ｙ（ｙ：自然数）週目」とは、番組履歴データベースＤＢが示す番組履歴情報が、ｙ週目の情報であることを示す。「ｄ」とは、曜日を示す。「ｔ」は、１時間単位の時刻を示す。図２において、曜日の列と、時刻の行とにより特定される各セルの情報が、番組履歴情報である。
【００５６】
番組履歴データベースＤＢは、一週間分の各時刻に相当する、３×３配列構造の情報を示すデータベースである。具体的には、番組履歴データベースＤＢが示す各番組履歴情報は、３×３配列構造の情報に相当する。
【００５７】
図２では、３×３配列構造の情報を、（週ｙ、曜日ｄ、時刻ｔ）＝（放送波ｗ、チャンネルｃ、番組ジャンルｋ）として表現している。
【００５８】
ここで、放送波ｗは、「地」、「ＢＳ」および「ＣＳ」のいずれかで示される。「地」とは、地上波である。「ＢＳ」とは、ＢＳ波である。「ＣＳ」とは、ＣＳ波である。
【００５９】
チャンネルｃは、ＣＨｎ（ｎ：自然数）で示される。例えば、チャンネルＣＨ５は、番号が５であるチャンネルを示す。
【００６０】
番組ジャンルｋは、番組のジャンルを示す。当該ジャンルは、例えば、ニュース、ドラマ、音楽、スポーツ、アニメ、子供向け、バラエティ、情報等に分類される。例えば、ジャンルが「情報」の番組は、各種の情報（例えば、健康のための情報）を提供する番組である。
【００６１】
ここで、例えば、ｙ週目の月曜日の午前７時００分に、表示部６０が、選択部１４により選択された選択番組を表示しているとする。当該選択番組は、一例として、地上波の番組であり、かつ、選択番組を表示するためのチャンネルの番号が１であり、かつ、選択番組のジャンルは、「情報」であるとする。
【００６２】
この場合、図２のｙ週目の番組履歴データベースＤＢには、ＤＢ（ｙ、ｄ：月、ｔ：７）＝（ｗ＝地、ｃ＝ＣＨ１、ｋ＝情報）という番組履歴情報が記録されている。具体的には、図２において、「月曜日」の列と、「ｔ＝７：００」の行とで特定されるセルの情報（番組履歴情報）は、「ｗ＝地、ｃ＝ＣＨ１、ｋ＝情報」を示す。
【００６３】
また、例えば、ｙ週目の日曜日の２３時００分に、表示部６０が、選択部１４により選択された選択番組を表示しているとする。当該選択番組は、一例として、ＣＳ波の番組であり、かつ、選択番組を表示するためのチャンネルの番号が１１であり、かつ、選択番組のジャンルは、「音楽」であるとする。
【００６４】
この場合、図２のｙ週目の番組履歴データベースＤＢには、ＤＢ（ｙ、ｄ：日、ｔ：２３）＝（ｗ＝ＢＳ、ｃ＝ＣＨ１１、ｋ＝音楽）という番組履歴情報が記録されている。
【００６５】
次に、番組履歴データベースに情報を記録するための処理（以下、履歴情報記録処理ともいう）について説明する。履歴情報記録処理は、他の処理とは独立して、随時行われる。履歴情報記録処理は、表示部６０が、選択番組を表示する毎に行われる。履歴情報記録処理は、詳細は後述するが、履歴記録部４０が、テレビジョン受信装置１００が表示した、過去の所定期間における複数の番組の各々の情報を示す番組履歴情報を記録する処理である。
【００６６】
再び、図１を参照して、履歴記録部４０は、放送波記録部４０ａと、チャンネル記録部４０ｂと、ジャンル記録部４０ｃとを含む。
【００６７】
図３の履歴情報記録処理（Ｓ１１０）では、放送波記録部４０ａ、チャンネル記録部４０ｂおよびジャンル記録部４０ｃの各々は、１時間単位の時刻毎に、後述の情報を番組履歴データベースＤＢに記録する。
【００６８】
放送波記録部４０ａ、チャンネル記録部４０ｂおよびジャンル記録部４０ｃの各々は、例えば、１時間経過した時刻毎に、後述の情報を番組履歴データベースＤＢに記録する。すなわち、図２におけるｔの単位は１時間であるとする。なお、ｔの単位は、１時間に限定されず、例えば、３０分等であってもよい。
【００６９】
ここで、例えば、ユーザによるリモートコントローラ２００の操作により、受信部１５がチャンネル選択信号（ユーザの指示）を受信したとする。そして、チャンネル選択信号に従って、テレビジョン受信装置１００の表示部６０が、午前７時００分〜午前８時００分までのうちの３０分間、地上波の選択番組を表示したとする。この場合、放送波記録部４０ａ、チャンネル記録部４０ｂおよびジャンル記録部４０ｃの各々は、午前８時００分に、後述の情報を、番組履歴データベースＤＢの時刻「ｔ＝７：００」の行に記録する。
【００７０】
以下、具体的に説明する。
【００７１】
履歴情報記録処理では、放送波記録部４０ａは、１時間単位の時刻毎に、放送波の種類を記録する。具体的には、放送波記録部４０ａは、表示部６０が表示する選択番組を提供する放送波ｗを示す前述の「地」、「ＢＳ」および「ＣＳ」のいずれかを、番組履歴データベースＤＢに記録する。
【００７２】
ここで、例えば、ユーザによるリモートコントローラ２００の操作により、受信部１５がチャンネル選択信号（ユーザの指示）を受信したとする。そして、チャンネル選択信号に従って、テレビジョン受信装置１００の表示部６０が、ｙ週目の日曜日の午前７時００分〜午前８時００分までのうちの３０分間、ＣＳ波の選択番組を表示したとする。この場合、放送波記録部４０ａは、図２の番組履歴データベースＤＢにおける、「日曜日」の列と「ｔ＝７：００」の行とで特定されるセルの情報（番組履歴情報）に、「ｗ＝ＣＳ」を記述（記録）する。
【００７３】
また、履歴情報記録処理では、チャンネル記録部４０ｂは、１時間単位の時刻毎に、チャンネル情報を記録する。具体的には、チャンネル記録部４０ｂは、表示部６０が表示する選択番組を表示するためのチャンネル情報を、番組履歴データベースＤＢに記録する。
【００７４】
ここで、例えば、ユーザによるリモートコントローラ２００の操作により、受信部１５がチャンネル選択信号（ユーザの指示）を受信したとする。そして、チャンネル選択信号に従って、テレビジョン受信装置１００の表示部６０が、ｙ週目の月曜日の午前７時００分〜午前８時００分までのうちの３０分間、番号が１であるチャンネルの選択番組を表示したとする。この場合、チャンネル記録部４０ｂは、図２の番組履歴データベースＤＢにおける、「月曜日」の列と「ｔ＝７：００」の行とで特定されるセルの情報（番組履歴情報）に、「ｃ＝ＣＨ１」を記述（記録）する。
【００７５】
なお、チャンネル情報を記録する処理は、リモートコントローラ２００からチャンネル選択信号の受信に応じて行われることに限定されない。チャンネル情報を記録する処理は、前述のチャンネルボタンのユーザによる押下操作が行われた場合に、チャンネル情報を記録する処理が行われてもよい。
【００７６】
また、履歴情報記録処理では、ジャンル記録部４０ｃは、１時間単位の時刻毎に、ジャンル情報を記録する。具体的には、ジャンル記録部４０ｃは、表示部６０が表示する選択番組のジャンル情報を、番組履歴データベースＤＢに記録する。
【００７７】
ここで、例えば、例えば、ユーザによるリモートコントローラ２００の操作により、受信部１５がチャンネル選択信号（ユーザの指示）を受信したとする。そして、チャンネル選択信号に従って、テレビジョン受信装置１００の表示部６０が、ｙ週目の日曜日の午前７時００分〜午前８時００分までのうちの３０分間、ジャンルが「スポーツ」である選択番組を表示したとする。この場合、ジャンル記録部４０ｃは、図２の番組履歴データベースＤＢにおける、「日曜日」の列と「ｔ＝７：００」の行とで特定されるセルの情報（番組履歴情報）に、「ｋ＝スポーツ」を記述（記録）する。
【００７８】
以上のことから、履歴情報記録処理は、履歴記録部４０が、テレビジョン受信装置１００が表示した、過去の所定期間における複数の番組の各々の情報を示す番組履歴情報を記録する処理である。
【００７９】
以上のように、履歴情報記録処理（Ｓ１１０）において、放送波記録部４０ａ、チャンネル記録部４０ｂおよびジャンル記録部４０ｃの各々が、番組履歴データベースＤＢに情報を記録することにより、ユーザがリモートコントローラ２００の操作により選択した番組の情報が記録される。すなわち、番組履歴データベースＤＢには、ユーザが嗜好する番組の情報が記録される。言い換えれば、番組履歴データベースＤＢには、ユーザの嗜好が強い番組の情報が記録される。
【００８０】
なお、テレビジョン受信装置１００は、ある単位時間において常に同一番組を表示しているとは限らない。すなわち、ユーザは、ある単位時間において常に同一番組を視ているとは限らない。言い換えれば、単位時間において、複数の番組が表示される場合がある。この場合、放送波記録部４０ａ、チャンネル記録部４０ｂおよびジャンル記録部４０ｃの各々は、１時間単位の時刻毎に、当該１時間において、最も表示（視聴）されている割合が高かった番組の情報だけを記録するようにしてもよい。
【００８１】
また、番組編成や、ユーザの嗜好は、ある周期で変わっていく事もある。そのため、履歴記録部４０の記憶容量に合わせて、ある週を示すｙは、期間データを保存する期間（以下、保存期間ともいう）を示す変数として利用してもよい。当該保存期間は、例えば、１２週間、２４週間、４８週間である。この場合、保存期間が過ぎた番組の情報は、順次消去、もしくは上書きされてもよい。
【００８２】
なお、番組履歴データベースＤＢのうち、ユーザがテレビジョン受信装置１００の主電源をオンにせずに、番組が全く表示（視聴）されなかった時間に対応する部分は、ブランクのままで構わない。
【００８３】
次に、ユーザが嗜好する番組（チャンネル）を選択するための処理（以下、選択処理ともいう）について説明する。選択処理は、待機モードのテレビジョン受信装置１００の電源投入の際に行われる。当該電源投入の際とは、テレビジョン受信装置１００の動作モードが前記待機モードから前記通常モードに移行する期間である。
【００８４】
テレビジョン受信装置１００の電源投入は、リモートコントローラ２００の電源ボタン５０のユーザによる押下操作により、行われる。なお、テレビジョン受信装置１００の電源投入は、テレビジョン受信装置１００に設けられる電源ボタンのユーザによる押下操作により、行われてもよい。
【００８５】
なお、履歴記録部４０には、前述の履歴情報記録処理により、過去の数週間における番組履歴データベースＤＢが記録されているとする。ここで、現在の日時は、Ｙ週目の曜日Ｄにおける時刻Ｔであるとする。なお、時刻Ｔは、分は考慮せず、１時間単位の時刻で表現されるとする。たとえば、午前７時２０分は、時刻７時として扱う。
【００８６】
以下においては、前述の受信チューナ（地上波チューナ１１、ＢＳチューナ１２およびＣＳチューナ１３）が、現在において番組を受信可能なチャンネルを、受信可能チャンネルともいう。
【００８７】
図４は、選択処理のフローチャートである。
【００８８】
ステップＳ２１０では、算出処理が行われる。算出処理は、情報整理のためのポイントを算出するための処理である。
【００８９】
算出処理は、時刻ポイント算出処理（Ｓ２１１）と、チャンネルポイント算出処理（Ｓ２１２）と、ジャンルポイント算出処理（Ｓ２１３）と、放送波ポイント算出処理（Ｓ２１４）と、ポイント算出処理（Ｓ２１５）とを含む。
【００９０】
時刻ポイント算出処理、チャンネルポイント算出処理、ジャンルポイント算出処理および放送波ポイント算出処理の各々は、独立して、並列的に行われる。時刻ポイント算出処理、チャンネルポイント算出処理、ジャンルポイント算出処理および放送波ポイント算出処理の終了後、ポイント算出処理が行われる。
【００９１】
なお、算出処理に含まれる各処理の実行順は、上記に限定されず、例えば、時刻ポイント算出処理、チャンネルポイント算出処理、ジャンルポイント算出処理および放送波ポイント算出処理の順で、実行されてもよい。
【００９２】
ステップＳ２１１の時刻ポイント算出処理では、時刻ポイント算出部４１ａが、全ての受信可能チャンネルのうち、現在の時刻にユーザが最も視聴（選択）する可能性が高い番組を表示するためのチャンネルに対して、最も大きな値を示すポイントを対応づける。
【００９３】
少し具体的には、時刻ポイント算出部４１ａは、現在の日時と、同一の曜日、同一の時刻において、過去に表示された番組の番組履歴情報を、１週目のＤＢ〜（Ｙ−１）週目のＤＢから抽出する。（Ｙ−１）週目とは、現在の週（Ｙ週目）から一週間前の週である。
【００９４】
時刻ポイント算出部４１ａは、抽出された１以上の番組履歴情報と、重み係数とを用いて、各受信可能チャンネル毎に、時刻ポイントＴＰ（ｃ）を算出する。以下においては、時刻ポイントＴＰ（ｃ）を、単に、ＴＰ（ｃ）とも表記する。
【００９５】
なお、現在のＹ週目に近いほど、ユーザの直近の嗜好が反映されている可能性が高い。そこで、本実施の形態では、上記重み係数には、Ｙ週目に近いほど、大きい値を示すポイントを算出するための値が設定される。
【００９６】
ここで、例えば、現在の日時（曜日Ｄにおける時刻Ｔ）に、ジャンルが「情報」の番組Ａが、地上波のチャンネル１で放送されているとする。また、地上波チューナ１１は、地上波のチャンネル１において番組Ａを受信可能であるとする。この場合、時刻ポイント算出部４１ａによりＴＰ（地１）が算出される。「地１」とは、地上波のチャンネル１を示す。
【００９７】
ＴＰ（地１）は、以下のようにして算出される。
【００９８】
時刻ポイント算出部４１ａは、１週目のＤＢ〜（Ｙ−１）週目のＤＢのうち、１週目のＤＢ（１、Ｄ、Ｔ）〜（Ｙ−１）週目のＤＢ（Ｙ−１、Ｄ、Ｔ）を検索する。例えば、ＤＢ（Ｙ−１、Ｄ、Ｔ）は、（Ｙ−１）週目のＤＢのうち、（Ｙ−１）週目の曜日Ｄにおける時刻Ｔの番組履歴情報である。
【００９９】
ここで、（Ｙ−１）がｙであり、Ｄが月曜日であり、Ｔが時刻７時００であるとする。この場合、ＤＢ（Ｙ−１、Ｄ、Ｔ）は、図２の「月曜日」の列と「ｔ＝７：００」の行とで特定される、「ｗ＝地、ｃ＝ＣＨ１、ｋ＝情報」を示すセルの情報（番組履歴情報）である。
【０１００】
そして、時刻ポイント算出部４１ａは、検索した複数の番組履歴情報のうち、（ｗ＝地、ｃ＝ＣＨ１、ｋ＝＊）または（ｗ＝＊、ｃ＝＊、ｋ＝情報）に一致する番組履歴情報を抽出する。なお、「＊」は、ワイルドカード、すなわち、どのような情報でもよいことを示す。
【０１０１】
例えば、（ｗ＝地、ｃ＝ＣＨ１、ｋ＝＊）に一致する番組履歴情報は、例えば、図２において、「ｗ＝地、ｃ＝ＣＨ１」を示す番組履歴情報である。
【０１０２】
ここで、（ｗ＝地、ｃ＝ＣＨ１、ｋ＝＊）に一致する番組履歴情報が、（Ｙ−１）週目、（Ｙ−３）週目および（Ｙ−１０）週目のＤＢに存在したとする。また、（ｗ＝＊、ｃ＝＊、ｋ＝情報）に一致する番組履歴情報が、（Ｙ−１３）週目、（Ｙ−１４）週目に存在したとする。この場合、時刻ポイントＴＰ（地１）は、以下の式１により表される。
【０１０３】
ＴＰ（地１）＝ａ（Ｙ−１）＋ａ（Ｙ−３）＋ａ（Ｙ−１０）＋ｂ（Ｙ−１３）＋ｂ（Ｙ−１４）…（式１）
式１において、ａ（ｙ（ｙ：自然数））はチャンネルが一致している週に対する関数である。また、ｂ（ｙ）は番組ジャンルが一致している週に対する関数である。ａ（ｙ）およびｂ（ｙ）の各々における引数ｙは、週を示す値（例えば、Ｙ−１）である。
【０１０４】
本実施の形態では、ａ（ｙ）およびｂ（ｙ）の各々の引数ｙの値が、現在の週（Ｙ）に近いほど、ａ（ｙ）とｂ（ｙ）の値は大きくなるように設定される。
【０１０５】
また、時刻ポイント算出処理では、時刻ポイント算出部４１ａが、上記式１を用いた方法と同様に、現在において各受信チューナが番組を受信可能な全ての受信可能チャンネルの各々に対し、現在の時間一致ポイントＴＰ（ｃ）を算出する。すなわち、時刻ポイント算出部４１ａは、全ての受信可能チャンネルにおいて、各受信可能チャンネル毎に、ＴＰ（ｃ）を算出し、当該受信可能チャンネルに、算出したＴＰ（ｃ）を対応づける（割り当てる）。
【０１０６】
なお、ユーザの視聴パターンが決まっている場合、上記処理により、ＴＰ（ｃ）が対応付けられるチャンネルは限られている可能性が高い。この場合、時刻ポイント算出部４１ａにより、ユーザの視聴履歴（嗜好性）が高いチャンネルに、ＴＰ（ｃ）の対応付けが行われても、ほとんどのチャンネルにはポイントが対応付けられていない事になる。
【０１０７】
そこで、時刻ポイント算出部４１ａによってポイントの対応付けがされなかったチャンネルを、普段のユーザの嗜好情報からポイント付けする為の構成要素は、以下の構成要素である。すなわち、チャンネルポイント算出部４１ｂ、ジャンルポイント算出部４１ｃ、放送波ポイント算出部４１ｄである。
【０１０８】
これらは、履歴記録部４０に記録された全ての番組履歴情報を参照して、時刻に関わらずユーザの嗜好に従った番組履歴情報を用いてポイントを算出する。
【０１０９】
ステップＳ２１２のチャンネルポイント算出処理では、履歴記録部４０に記録されているＤＢを用いて、チャンネルポイントＵＰｃ（ｃ）が算出される。以下においては、チャンネルポイントＵＰｃ（ｃ）を、単に、ＵＰｃ（ｃ）とも表記する。
【０１１０】
少し具体的には、チャンネルポイント算出部４１ｂは、１週目のＤＢ〜（Ｙ−１）週目のＤＢにおける全ての番組履歴情報が示す異なる特定のチャンネル毎に、ＵＰｃ（ｃ）を算出し、当該特定のチャンネルに、算出したＵＰｃ（ｃ）を対応づける（割り当てる）。
【０１１１】
具体的には、チャンネルポイント算出部４１ｂが、履歴記録部４０に記録されている１週目のＤＢ（１、＊、＊）〜（Ｙ−１）週目のＤＢ（Ｙ−１、＊、＊）における全ての番組履歴情報を検索する。
【０１１２】
次に、チャンネルポイント算出部４１ｂは、検索された各ＤＢの複数の番組履歴情報から、ある特定のチャンネルを示す番組履歴情報を抽出する。そして、チャンネルポイント算出部４１ｂは、抽出した１以上の番組履歴情報と、式１と同様の重み係数を有する関数とを用いて、ＵＰｃ（ｃ）を算出する。そして、チャンネルポイント算出部４１ｂは、特定のチャンネルに、算出したＵＰｃ（ｃ）を対応づける（割り当てる）。
【０１１３】
ここで、特定のチャンネルは、地上波のチャンネル１（ＣＨ１）であるとする。この場合、チャンネルポイント算出部４１ｂによりＵＰｃ（地１）が算出される。「地１」とは、地上波のチャンネル１を示す。
【０１１４】
ＵＰｃ（地１）は、以下のようにして算出される。
【０１１５】
チャンネルポイント算出部４１ｂは、検索した全ての番組履歴情報のうち、（ｗ＝地、ｃ＝ＣＨ１、ｋ＝＊）に一致する番組履歴情報を抽出する。例えば、（ｗ＝地、ｃ＝ＣＨ１、ｋ＝＊）に一致する番組履歴情報は、例えば、図２において、「ｗ＝地、ｃ＝ＣＨ１」を示す番組履歴情報である。
【０１１６】
ここで、（ｗ＝地、ｃ＝ＣＨ１、ｋ＝＊）に一致する番組履歴情報が、（Ｙ−１）週目、（Ｙ−４）週目および（Ｙ−１１）週目のＤＢに存在したとする。この場合、ＵＰｃ（地１）は、以下の式２により表される。
【０１１７】
ＵＰｃ（地１）＝ａ（Ｙ−１）＋ａ（Ｙ−４）＋ａ（Ｙ−１１）…（式２）
式２の右辺は、式１の右辺の前半と同様なので詳細な説明は繰り返さない。
【０１１８】
以上の方法により、チャンネルポイント算出部４１ｂは、１週目のＤＢ〜（Ｙ−１）週目のＤＢにおける全ての番組履歴情報が示す異なる特定のチャンネル毎に、ＵＰｃ（ｃ）を算出し、当該特定のチャンネルに、算出したＵＰｃ（ｃ）を対応づける（割り当てる）。
【０１１９】
ステップＳ２１３のジャンルポイント算出処理では、履歴記録部４０に記録されているＤＢを用いて、ジャンルポイントＵＰｋ（ｋ）が算出される。以下においては、ジャンルポイントＵＰｋ（ｋ）を、単に、ＵＰｋ（ｋ）とも表記する。
【０１２０】
少し具体的には、ジャンルポイント算出部４１ｃは、１週目のＤＢ〜（Ｙ−１）週目のＤＢにおける全ての番組履歴情報が示す異なる特定のジャンル毎に、ＵＰｋ（ｋ）を算出し、当該特定のジャンルに、算出したＵＰｋ（ｋ）を対応づける（割り当てる）。
【０１２１】
具体的には、ジャンルポイント算出部４１ｃが、履歴記録部４０に記録されている１週目のＤＢ（１、＊、＊）〜（Ｙ−１）週目のＤＢ（Ｙ−１、＊、＊）における全ての番組履歴情報を検索する。
【０１２２】
次に、ジャンルポイント算出部４１ｃは、検索された各ＤＢの複数の番組履歴情報から、ある特定のジャンルを示す番組履歴情報を抽出する。そして、ジャンルポイント算出部４１ｃは、抽出した１以上の番組履歴情報と、式１と同様の重み係数を有する関数とを用いて、ＵＰｋ（ｋ）を算出する。そして、ジャンルポイント算出部４１ｃは、特定のジャンルに、算出したＵＰｋ（ｋ）を対応づける（割り当てる）。
【０１２３】
ここで、特定のジャンルは、「情報」であるとする。この場合、ジャンルポイント算出部４１ｃによりＵＰｋ（情報）が算出される。
【０１２４】
ＵＰｋ（情報）は、以下のようにして算出される。
【０１２５】
ジャンルポイント算出部４１ｃは、検索した全ての番組履歴情報のうち、（ｗ＝＊、ｃ＝＊、ｋ＝情報）に一致する番組履歴情報を抽出する。例えば、（ｗ＝＊、ｃ＝＊、ｋ＝情報）に一致する番組履歴情報は、例えば、図２において、「ｋ＝情報」を示す番組履歴情報である。
【０１２６】
ここで、（ｗ＝＊、ｃ＝＊、ｋ＝情報）に一致する番組履歴情報が、（Ｙ−１３）週目および（Ｙ−１４）週目のＤＢに存在したとする。この場合、ＵＰｋ（情報）は、以下の式３により表される。
【０１２７】
ＵＰｋ（情報）＝ｂ（Ｙ−１３）＋ｂ（Ｙ−１４）…（式３）
式３の右辺は、式１の右辺の後半と同様なので詳細な説明は繰り返さない。
【０１２８】
以上の方法により、ジャンルポイント算出部４１ｃは、１週目のＤＢ〜（Ｙ−１）週目のＤＢにおける全ての番組履歴情報が示す異なる特定のジャンル毎に、ＵＰｋ（ｋ）を算出し、当該特定のジャンルに、算出したＵＰｋ（ｋ）を対応づける（割り当てる）。
【０１２９】
ステップＳ２１４の放送波ポイント算出処理では、履歴記録部４０に記録されているＤＢを用いて、放送波ポイントＵＰｗ（ｗ）が算出される。以下においては、放送波ポイントＵＰｗ（ｗ）を、単に、ＵＰｗ（ｗ）とも表記する。
【０１３０】
少し具体的には、放送波ポイント算出部４１ｄは、１週目のＤＢ〜（Ｙ−１）週目のＤＢにおける全ての番組履歴情報が示す異なる特定の放送波毎に、ＵＰｗ（ｗ）を算出し、当該特定の放送波に、算出したＵＰｗ（ｗ）を対応づける（割り当てる）。
【０１３１】
具体的には、放送波ポイント算出部４１ｄが、履歴記録部４０に記録されている１週目のＤＢ（１、＊、＊）〜（Ｙ−１）週目のＤＢ（Ｙ−１、＊、＊）における全ての番組履歴情報を検索する。
【０１３２】
次に、放送波ポイント算出部４１ｄは、検索された各ＤＢの複数の番組履歴情報から、ある特定の放送波を示す番組履歴情報を抽出する。そして、放送波ポイント算出部４１ｄは、抽出した１以上の番組履歴情報と、式１と同様の重み係数を有する関数とを用いて、ＵＰｗ（ｗ）を算出する。
【０１３３】
ここで、特定の放送波は、地上波であるとする。この場合、放送波ポイント算出部４１ｄによりＵＰｗ（地）が算出される。ＵＰｗ（地）の「地」とは、地上波を示す。
【０１３４】
ＵＰｗ（地）は、以下のようにして算出される。
【０１３５】
放送波ポイント算出部４１ｄは、検索した全ての番組履歴情報のうち、（ｗ＝地、ｃ＝＊、ｋ＝＊）に一致する番組履歴情報を抽出する。例えば、（ｗ＝地、ｃ＝＊、ｋ＝＊）に一致する番組履歴情報は、例えば、図２において、「ｗ＝地」を示す番組履歴情報である。
【０１３６】
ここで、（ｗ＝地、ｃ＝＊、ｋ＝＊）に一致する番組履歴情報が、（Ｙ−１３）週目および（Ｙ−１４）週目のＤＢに存在したとする。この場合、ＵＰｗ（地）は、以下の式４により表される。
【０１３７】
ＵＰｗ（地）＝ｃ（Ｙ−１３）＋ｃ（Ｙ−１４）…（式４）
式４において、ｃ（ｙ（ｙ：自然数））は放送波が一致している週に対する関数である。ｃ（ｙ）における引数ｙは、週を示す値（例えば、Ｙ−１３）である。本実施の形態では、ｃ（ｙ）の引数ｙの値が、現在の週（Ｙ）に近いほど、ｃ（ｙ）の値は大きくなるように設定される。
【０１３８】
以上の方法により、放送波ポイント算出部４１ｄは、１週目のＤＢ〜（Ｙ−１）週目のＤＢにおける全ての番組履歴情報が示す異なる特定の放送波毎に、ＵＰｗ（ｗ）を算出し、当該特定の放送波に、算出したＵＰｗ（ｗ）を対応づける（割り当てる）。
【０１３９】
ステップＳ２１５のポイント算出処理では、ポイントＰ（ｃ）が算出される。ポイントＰ（ｃ）には、過去の視聴履歴（番組履歴情報）に従って、現在の時間帯にユーザが最も視聴を好む可能性（確率）が高い番組のチャンネル程、大きい値が設定される。ポイントＰ（ｃ）は、ユーザの過去の視聴履歴（番組履歴情報）およびユーザの嗜好に合うチャンネルほど、大きい値を示す。以下においては、ポイントＰ（ｃ）を、単に、Ｐ（ｃ）とも表記する。
【０１４０】
ポイント算出処理では、情報整理部４１が、ステップＳ２１１〜Ｓ２１４により算出された、全てのＴＰ（ｃ）、ＵＰｃ（ｃ）およびＵＰｋ（ｋ）を用いて、全ての受信可能チャンネルの各々に対し、Ｐ（ｃ）を算出する。
【０１４１】
そして、情報整理部４１は、各受信可能チャンネルに、算出したＰ（ｃ）を対応づける（割り当てる）。
【０１４２】
Ｐ（ｃ）は、以下の式５により算出される。
【０１４３】
Ｐ（ｃ）＝ｌ×ＴＰ（ｃ）＋ｍ×ＵＰｃ（ｃ）＋ｎ×ＵＰｋ（ｋ）＋ｐ×ＵＰｗ（ｗ）…（式５）
式５のｌ，ｍ，ｎ，ｐは、それぞれ、ＴＰ（ｃ）、ＵＰｃ（ｃ）、ＵＰｋ（ｋ）およびのＵＰｗ（ｗ）の重み係数である。式５のＴＰ（ｃ）は、時間経過により変化する時刻ｔを用いて算出される。そのため、ＴＰ（ｃ）は、時間経過と共に変化する。また、現在放送中の番組のジャンルが変われば、参照されるＵＰｋ（ｋ）も変わる。そのため、Ｐ（ｃ）の値はリアルタイムに変化する。
【０１４４】
ここで、例えば、現在、ジャンルが「情報」の番組Ａが、地上波のチャンネル１で放送されているとする。また、地上波チューナ１１は、地上波のチャンネル１において番組Ａを受信可能であるとする。
【０１４５】
この場合、地上波のチャンネル１のポイントＰ（地１）が算出される。「地１」とは、地上波のチャンネル１を示す。Ｐ（地１）は、以下の式６により表される。
【０１４６】
Ｐ（地１）＝ｌ×ＴＰ（地１）＋ｍ×ＵＰｃ（地１）＋ｎ×ＵＰｋ（情報）＋ｐ×ＵＰｗ（地）…（式６）
ステップＳ２２０の並び替え処理では、情報整理部４１が、ステップＳ２１５において算出された、Ｐ（ｃ）の値が大きい順に、当該Ｐ（ｃ）に対応する受信可能チャンネルを並び替える。
【０１４７】
なお、並び替えの処理は、上記に限定されず、情報整理部４１が、ステップＳ２１５において算出された、Ｐ（ｃ）の値が小さい順に、当該Ｐ（ｃ）に対応する受信可能チャンネルを並び替えてもよい。すなわち、情報整理部４１（ポイント算出部）は、算出された各ポイントＰ（ｃ）の値が大きい順または小さい順に、該ポイントＰ（ｃ）に対応する、番組を受信可能な受信可能チャンネルを並べ替える。
【０１４８】
そして、情報整理部４１は、算出された複数のポイントＰ（ｃ）のうち、最も値が大きいポイントＰ（ｃ）に対応する受信可能チャンネルを、ユーザ嗜好チャンネルとする。ユーザ嗜好チャンネルとは、少なくともテレビジョン受信装置１００の電源投入の際にユーザがリモートコントローラ２００等を使用して最も選択する確率が高いと推測されるチャンネルである。すなわち、ユーザ嗜好チャンネルとは、テレビジョン受信装置１００の電源投入の際においてユーザの嗜好が最も強いチャンネルである。なお、ユーザ嗜好チャンネルは、電源投入の際というタイミングに限定されず、最もユーザの嗜好にあっているチャンネルとしてもよい。
【０１４９】
そして、選択指示部４２は、並び替えられた複数の受信可能チャンネルのうち、最も値が大きいポイントＰ（ｃ）に対応する受信可能チャンネル（ユーザ嗜好チャンネル）を選択する。そして、選択指示部４２は、ユーザ嗜好チャンネルを選択するための選択指示を、選択部１４へ送信する。
【０１５０】
以上のように、情報整理部４１は、現在番組を受信可能な全てのチャンネルに対し、ポイントを算出し、ポイントの値が大きい順に、当該ポイントに対応するチャンネルを並び替える。
【０１５１】
そして、選択指示部４２は、値が最も大きいポイントに対応するチャンネル（ユーザ嗜好チャンネル）を選択するための選択指示を、選択部１４へ送信する。
【０１５２】
なお、選択指示を送信する処理は、選択指示部４２の代わりに情報整理部４１が行ってもよい。この場合、テレビジョン受信装置１００は、選択指示部４２を含まなくてもよい。
【０１５３】
ステップＳ２３０のチャンネル選択処理では、選択部１４が、受信した選択指示に従って、ユーザ嗜好チャンネルを選択する。すなわち、選択部１４は、情報整理部４１（ポイント算出部）により算出された、値が最も大きいポイントに対応するチャンネルを選択する。これにより、テレビジョン受信装置１００は、ユーザ嗜好チャンネルを選択した状態で起動することになる。
【０１５４】
そして、表示部６０は、選択されたユーザ嗜好チャンネルの番組を表示する。以上により、選択処理は終了する。
【０１５５】
前述したように、電源投入の際に、前述の選択処理が行われる。前述したように、電源投入の際とは、テレビジョン受信装置１００の動作モードが前記待機モードから前記通常モードに移行する期間である。
【０１５６】
ここで、リモートコントローラ２００の電源ボタン５０の操作、または、テレビジョン受信装置１００に設けられる電源ボタンの操作により、電源投入が行われたとする。この場合、選択処理により、選択部１４は、テレビジョン受信装置１００の電源投入の際に、テレビジョン受信装置１００が番組を受信可能な全てのチャンネルのうち、ユーザ嗜好チャンネルを、各番組履歴情報に基づいて選択する。そして、表示部６０は、選択されたユーザ嗜好チャンネルの番組を表示する。
【０１５７】
すなわち、電源投入の際にユーザが最も選択する確率が高いと推測されるチャンネルの番組が表示される。したがって、本実施の形態に係るテレビジョン受信装置１００は、電源投入の際にユーザが所望するチャンネルを迅速に選択することができる。これにより、嗜好が明確であるユーザに対して、テレビジョン受信装置１００の操作性を、直感的な動作だけで済むように向上させることができる。したがって、ユーザの使い勝手を向上させることができる。
【０１５８】
また、ユーザがテレビジョン受信装置１００の電源を入れる際において、チャンネル選択処理によって、値が最も大きいポイントに対応するチャンネルが選択され、ユーザの視聴パターンにあった番組のチャンネルが選択（選局）された状態で、映像（番組）が表示される。これにより、ユーザが視聴パターンにあった番組を見るため、テレビジョン受信装置１００の電源を投入した場合、チャンネルの変更無しで嗜好の番組を見ることができる。
【０１５９】
以上により、電源投入時から、ユーザの嗜好にあったチャンネルが選局されるまでの時間を、従来に比べて、少ない単純な操作で、効率的に削減することができる。
【０１６０】
また、リモートコントローラ２００の電源ボタン５０を用いて、テレビジョン受信装置１００の電源を投入する際でも、前述のチャンネル選択処理（選択部１４）によって値が最も大きいポイントに対応するチャンネルが選択され、当該チャンネルの番組が表示される。
【０１６１】
すなわち、テレビジョン受信装置１００の電源が投入された際、ユーザが意識することなく、ユーザの嗜好が強いチャンネルの番組を最初に表示する。これにより、ユーザチャンネル選択の操作を軽減することができる。
【０１６２】
以上、本実施の形態によれば、ユーザの嗜好の情報を簡単なデータベースに蓄積することで、ユーザによるテレビジョン受信装置の電源投入時から所望の番組選局までの時間を効率的に削減する事ができる。
【０１６３】
なお、電源が投入された時刻が、例えば６時５６分と言った、時刻の単位が変わる数分前であれば、選択指示部４２および選択部１４は、次の単位の時刻において、予め選択しておいた番組を優先的に表示させるための処理をしてもよい。
【０１６４】
なお、ユーザがテレビジョンを視聴する際、新たな情報や興味のある情報をテレビジョンを使って検索または選択する動作より、日々の決まったパターンで視聴している番組を選択する動作を行う場合が多い。
【０１６５】
そこで、本実施の形態では、上記処理により、それら一連の動作を瞬時に選択することを実現することができる。また、ユーザ自身が意識しない間に、ユーザ嗜好チャンネルが選択されることを実現することができる。
【０１６６】
なお、本実施の形態に係るテレビジョン受信装置１００は、ユーザが嗜好性に基づき規則的なチャンネルを選択することを前提にしている。例えば、ユーザは、朝において同じ情報番組を視聴するために特定のチャンネルを選択する。また、例えば、ユーザは、夕方においてニュースを視聴するために特定のチャンネルを選択する。また、ユーザは、夜は週単位で繰り返される嗜好性の強いドラマ、アニメ、バラエティ等の番組を見る視聴するために特定のチャンネルを選択する。
【０１６７】
（実施の形態１の変形例１）
本実施の形態の変形例１では、ユーザが、テレビジョン受信装置１００の起動時に選択されているチャンネルとは異なる番組を選択するための操作を行った場合の処理（以下、チャンネル切替え処理ともいう）について説明する。
【０１６８】
チャンネル切替え処理は、他の処理と独立して行われる。
【０１６９】
チャンネル切替え処理では、詳細は後述するが、選択部１４が、リモートコントローラ２００から送信される、チャンネルを昇順で切り替えるための信号をテレビジョン受信装置１００が受信する毎に、前述の並び替え処理により並べ替えられた各受信可能チャンネルを、該受信可能チャンネルに対応するポイントの値が小さい順または大きい順の一方で選択する。
【０１７０】
また、選択部１４は、リモートコントローラ２００から送信される、チャンネルを降順で切り替えるための信号をテレビジョン受信装置１００が受信する毎に、前述の並び替え処理により並べ替えられた各受信可能チャンネルを、該受信可能チャンネルに対応するポイントの値が大きい順または小さい順の他方で選択する。
【０１７１】
以下、一例を挙げて、具体的に説明する。
【０１７２】
ここで、前述の選択処理が行われた後、現時点で表示部６０が表示している番組のチャンネルとは異なるチャンネルを選択するとする。ここで、一例として、ユーザが、リモートコントローラ２００の降順選択ボタン５１ｂを押下したとする。
【０１７３】
この場合、リモートコントローラ２００は、チャンネルを降順で切替えるための降順選択信号を、テレビジョン受信装置１００へ送信する。これにより、受信部１５は、降順選択信号を受信する。
【０１７４】
選択指示部４２は、受信部１５が降順選択信号を受信すると、前述の並び替え処理により並び替えられた複数の受信可能チャンネルのうち、現在選択されているチャンネルに対応するＰ（ｃ）の値より、次に小さい値を示すＰ（ｃ）に対応する受信可能チャンネルを選択する。
【０１７５】
ここで、受信可能チャンネルの数が３個であるとする。また、３個の受信可能チャンネルには、それぞれ、“３０”、“４１”よび“５０”を示すポイントが対応付けられているとする。また、現在選択されているチャンネルは、５０を示すポイントに対応するチャンネルであるとする。この場合、上記処理により、選択指示部４２は、“５０”の次に小さい“４１”を示すポイントに対応する受信可能チャンネルを選択する。
【０１７６】
そして、選択指示部４２は、選択した受信可能チャンネルを選択するための選択指示を、選択部１４へ送信する。選択部１４は、受信した選択指示に従って、現在選択されているチャンネルとは異なる受信可能チャンネルを選択する。
【０１７７】
そして、表示部６０は、選択された受信可能チャンネルの番組を表示する。
【０１７８】
以上により、チャンネル切替え処理は終了する。
【０１７９】
なお、降順選択信号は、現在選択されているチャンネルに対応するＰ（ｃ）の値より、次に大きい値を示すＰ（ｃ）に対応する受信可能チャンネルを選択するための信号であってもよい。この場合、選択指示部４２は、受信部１５が降順選択信号を受信すると、前述の並び替え処理により並び替えられた複数の受信可能チャンネルのうち、現在選択されているチャンネルに対応するＰ（ｃ）の値より、次に大きい値を示すＰ（ｃ）に対応する受信可能チャンネルを選択する。そして、選択部１４は、選択指示部４２が選択した、現在選択されているチャンネルとは異なる受信可能チャンネルを選択する。
【０１８０】
また、他の例として、ユーザが、リモートコントローラ２００の昇順選択ボタン５１ａを押下したとする。
【０１８１】
この場合、リモートコントローラ２００は、チャンネルを昇順で切替えるための昇順選択信号を、テレビジョン受信装置１００へ送信する。これにより、受信部１５は、昇順選択信号を受信する。
【０１８２】
選択指示部４２は、受信部１５が昇順選択信号を受信すると、前述の並び替え処理により並び替えられた複数の受信可能チャンネルのうち、現在選択されているチャンネルに対応するＰ（ｃ）の値より、次に大きい値を示すＰ（ｃ）に対応する受信可能チャンネルを選択する。
【０１８３】
そして、選択指示部４２は、選択した受信可能チャンネルを選択するための選択指示を、選択部１４へ送信する。選択部１４は、受信した選択指示に従って、現在選択されているチャンネルとは異なる受信可能チャンネルを選択する。
【０１８４】
なお、昇順選択信号は、現在選択されているチャンネルに対応するＰ（ｃ）の値より、次に小さい値を示すＰ（ｃ）に対応する受信可能チャンネルを選択するための信号であってもよい。この場合、選択指示部４２は、受信部１５が昇順選択信号を受信すると、前述の並び替え処理により並び替えられた複数の受信可能チャンネルのうち、現在選択されているチャンネルに対応するＰ（ｃ）の値より、次に小さい値を示すＰ（ｃ）に対応する受信可能チャンネルを選択する。そして、選択部１４は、選択指示部４２が選択した、現在選択されているチャンネルとは異なる受信可能チャンネルを選択する。
【０１８５】
以上のように、昇順選択ボタン５１が押下されることにより、より値が大きいポイントに対応するチャンネルの番組、すなわち、より嗜好性の強い番組を探すことができる。
【０１８６】
これにより、現在表示されている、チャンネルの番組が、ユーザの嗜好に合わない番組だったとしても、ユーザは、早い段階で嗜好性の強いチャンネルに辿り着く事ができる。すなわち、ユーザは、早い段階で嗜好の強いチャンネルを選択することができる。
【０１８７】
本実施の形態の変形例１によれば、チャンネルを変更するために、ユーザがリモートコントローラ２００の昇順選択ボタン５１ａまたは降順選択ボタン５１ｂを押下した場合、視聴回数が多い番組の順番で並び替えられたチャンネルが選択される。そのため、ユーザの嗜好にあった番組ほど早く表示される為、ユーザの使い勝手が向上する。
【０１８８】
なお、最も値が大きいポイントのチャンネルが選択されている状態で、昇順選択ボタン５１ａが押下された場合、表示部６０は、それ以上嗜好性が強い番組は無い事を示すメッセージを表示してもよい。また、この場合、選択されるチャンネルは、最も嗜好性の低い番組のチャンネルとしてもよい。すなわち、チャンネルの選択がループするようにしてもよい。
【０１８９】
（実施の形態１の変形例２）
実施の形態１では、テレビジョン受信装置１００の起動時にチャンネルを選択した後、当該チャンネルは、リモートコントローラ２００等の操作がない場合、変わらなかった。
【０１９０】
本実施の形態の変形例２では、時間の経過または放送中の番組のジャンルの変化に応じて、チャンネルを変化させるための処理（以下、選択処理Ａともいう）について説明する。
【０１９１】
図５は、選択処理Ａのフローチャートである。図５において、図４のステップ番号と同じステップ番号の処理は、第１の実施形態で説明した処理と同様な処理が行われるので詳細な説明は繰り返さない。
【０１９２】
選択処理Ａは、図４の選択処理と比較して、ステップＳ２３０の処理の後、再度、ステップＳ２１０の処理が行われる点が異なる。選択処理Ａのそれ以外の処理は、選択処理と同様なので詳細な説明は繰り返さない。
【０１９３】
なお、選択処理Ａは、選択処理と同様に、テレビジョン受信装置１００の電源投入の際に行われる。
【０１９４】
この選択処理Ａにより、ステップＳ２１０，Ｓ２２０，Ｓ２３０は繰り返し行われる。これにより、情報整理部４１（ポイント算出部）は、各番組履歴情報が示す番組の情報を用いて、テレビジョン受信装置１００の電源投入後の時間経過に従って、番組を受信可能な全てのチャンネルのうち、ユーザが選択する確率が高いと推測されるチャンネル程大きい値を示すように、該チャンネル毎にポイントを算出する計算処理を繰り返し行う。
【０１９５】
ここで、テレビジョン受信装置１００の電源投入の際に選択部１４により選択されたチャンネルとは異なるチャンネルの番組を表示部６０が表示しているときに、リモートコントローラ２００から昇順選択信号または降順選択信号を受信部１５が受信したとする。
【０１９６】
この場合、ステップＳ２１０〜Ｓ２３０が繰り返し行われることにより、選択部１４は、上記計算処理により算出された、値が最も大きい最新のポイントに対応するチャンネルを選択する。表示部６０は、選択された最新のチャンネルの番組を表示する。
【０１９７】
すなわち、選択部１４は、電源投入の際に選択部１４により選択されたチャンネルとは異なるチャンネルの番組をテレビジョン受信装置１００が表示しているときに、リモートコントローラ２００からチャンネルを昇順または降順で切り替えるための信号をテレビジョン受信装置１００が受信した場合、計算処理により算出された、値が最も大きい最新のポイントに対応するチャンネルを選択する。
【０１９８】
表示部６０（テレビジョン受信装置１００）は、最新のポイントに対応する選択されたチャンネルの番組を表示する。
【０１９９】
本実施の形態の変形例２では、ユーザが番組を視聴している間でも、時間の経過や放送中の番組のジャンルの変化に応じて、情報整理部４１はリアルタイムにポイントを再計算する。そして、情報整理部４１はチャンネルの順番を並び替える。また、選択指示部４２および選択部１４は、並び替えられた各チャンネルのうち、値が最も大きい最新のポイントに対応するチャンネルを選択する。
【０２００】
これにより、ユーザが、普段視聴している番組と異なるチャンネルを選択（選局）していても、ザッピングを行うために、昇順選択ボタン５１ａまたは降順選択ボタン５１ｂを押した際、再計算された最も大きい値のポイントに対応するチャンネルの番組が表示される。したがって、ユーザは、早い段階で、普段視聴している番組が開始していることに気付き、少ない操作で、当該番組を視聴することができる。すなわち、ユーザが、普段視聴している番組と異なる番組のチャンネルを選局していても、ザッピングを行う際、早い段階で普段視聴している番組に気づき、新たに視聴することを可能にする。
【０２０１】
すなわち、本実施の形態の変形例２では、情報整理部４１は、時間の変化に応じて、候補となるチャンネルの優先順位をリアルタイムで並びかえる。これにより、ユーザがいつも見ている番組の開始を気づかずに、いつも見ている番組とは異なる番組を視聴していたとする。
【０２０２】
この場合、他の異なる番組を探す為に、ユーザがリモートコントローラ２００の昇順選択ボタン５１ａまたは降順選択ボタン５１ｂを用いて、チャンネルを次々に変えるザッピングを行った際、最短時間で、かつ直感的に、通常視聴している番組が表示される。これにより、ユーザへの番組選局を促す。また、嗜好性の強い番組から表示される為、ザッピングにおいて、嗜好の強い番組を迅速に探すことができる。
【０２０３】
言い換えれば、本実施の形態の変形例２では、ユーザが番組視聴中でも、テレビジョン受信装置１００がリアルタイムにユーザの嗜好性の強い番組を選択可能な状態で待機している。これにより、ユーザが、他の異なる番組を探す為、リモートコントローラ２００の昇順選択ボタン５１ａまたは降順選択ボタン５１ｂを用いて、チャンネルを次々に変えるザッピングを行った際、普段視聴しているのにも関わらず、視聴を忘れていたような番組が最短時間で表示される。これにより、ユーザへ直感的に選局を促すことができ、ユーザの使い勝手が向上する。
【０２０４】
（実施の形態１の変形例３）
本実施の形態の変形例３では、番組が始まった旨のメッセージを表示するための処理（以下、報知処理ともいう）について説明する。
【０２０５】
報知処理は、他の処理とは独立して行われる。
【０２０６】
本実施の形態の変形例３では、選択処理Ａと報知処理とが並行される。
【０２０７】
実施の形態１の変形例２で説明したように、選択処理Ａにより、ステップＳ２１０，Ｓ２２０，Ｓ２３０は繰り返し行われる。これにより、情報整理部４１（ポイント算出部）は、前述の計算処理を繰り返し行う。
【０２０８】
また、選択部１４は、上記計算処理により算出された、値が最も大きい最新のポイントに対応するチャンネルを選択する。
【０２０９】
報知処理では、表示部６０が、計算処理が繰り返し行われた後、選択部１４が、所定の閾値より大きい値を示すポイントに対応するチャンネルを選択していない場合、当該閾値より大きい値を示すポイントに対応するチャンネルの番組が始まった旨のメッセージを、一定期間において表示する。
【０２１０】
具体的には、報知処理では、制御部２０が、選択指示部４２が所定の閾値より大きい値を示すポイントに対応するチャンネルを選択しているか否かを随時判定している。所定の閾値より大きい値を示すポイントに対応するチャンネルの番組は、例えば、ユーザが日常的に見ている番組である。
【０２１１】
制御部２０は、選択指示部４２（選択部１４）が所定の閾値より大きい値を示すポイントに対応するチャンネルを選択していない場合、表示部６０に、メッセージＭを一定期間において表示させるための制御を行う。メッセージＭは、例えば、「現在の番組より、あなたの興味がある番組が、チャンネルＸで始まっています」というメッセージである。一定期間とは、例えば、２０秒である。以上により報知処理は終了する。
【０２１２】
以上の報知処理により、表示部６０は、計算処理により選択部１４が選択する予定の、最も値が大きいポイントに対応するチャンネルと、選択部１４（選択指示部４２）が現在選択（選局）しているチャンネルが異なる場合、以下の表示を行う。表示部６０は、選択指示部４２が選択している、最も値が大きいポイントに対応するチャンネルの情報を一定時間表示して、ユーザに嗜好情報を提供する。
【０２１３】
以上の処理により、ユーザは、例えば、降順選択ボタン５１ｂを一度押すだけで、そのチャンネルに辿り着ける。
【０２１４】
すなわち、本実施の形態の変形例３では、ユーザがいつも見ている番組（最も値が大きい最新のポイントに対応するチャンネルの番組）が始まっている場合は、その番組が始まった事を伝えるメッセージを数秒間表示する。これにより、ユーザの嗜好性が強い番組の視聴を忘れていることを告知することにより、ユーザに認知させる。
【０２１５】
言い換えれば、本実施の形態の変形例３の処理によれば、ユーザが番組視聴中でも、視聴回数が高く、普段視聴しているのにも関わらず、視聴を忘れていたような番組がある場合、その番組が始まった旨を知らせるメッセージを表示することにより、ユーザへ情報を提供することができる。
【０２１６】
以上により、本実施の形態の変形例３では、ユーザが普段視聴している番組と異なる番組のチャンネルを選局していても、嗜好情報に基づいて予想される番組が始まった旨の情報をユーザに提供することができる。
【０２１７】
なお、ユーザがいつも見ている番組とは異なるチャンネルの番組を視聴していた場合、数分後に、現在の番組より嗜好性の強い番組が始まる旨のメッセージを、数秒間表示して、ユーザの嗜好性が強い番組が始まる事を告知するための処理を行ってもよい。
【０２１８】
（その他の変形例）
以上、本発明に係るテレビジョン受信装置について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態、実施の形態の変形例を自由に組み合わせたり、実施の形態、実施の形態の変形例を適宜、変形、省略することが可能である。
【０２１９】
また、テレビジョン受信装置１００は、図１に示される全ての構成要素を含まなくてもよい。すなわち、テレビジョン受信装置１００は、本発明の効果を実現できる最小限の構成要素のみを含めばよい。例えば、テレビジョン受信装置１００は、履歴記録部４０および選択部１４のみを含む構成であってもよい。
【０２２０】
また、本発明は、テレビジョン受信装置１００が備える特徴的な構成部の動作をステップとするチャンネル選択方法として実現してもよい。また、本発明は、そのようなチャンネル選択方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０２２１】
上記実施の形態で用いた全ての数値は、本発明を具体的に説明するための一例の数値である。すなわち、本発明は、上記実施の形態で用いた各数値に制限されない。
【０２２２】
また、本発明に係るチャンネル選択方法は、図３の処理および図４の選択処理の一部または全てに相当する。本発明に係るチャンネル選択方法は、図４における、対応する全てのステップを必ずしも含む必要はない。すなわち、本発明に係るチャンネル選択方法は、本発明の効果を実現できる最小限のステップのみを含めばよい。例えば、本発明に係るチャンネル選択方法は、図３のステップＳ１１０、図４のＳ２３０のみで構成されてもよい。
【０２２３】
また、チャンネル選択方法における各ステップの実行される順序は、本発明を具体的に説明するための一例であり、上記以外の順序であってもよい。また、チャンネル選択方法におけるステップの一部と、他のステップとは、互いに独立して並列に実行されてもよい。
【０２２４】
なお、テレビジョン受信装置１００の各構成要素の一部は典型的には集積回路であるＬＳＩ（Large Scale Integration）として実現されてもよい。例えば、選択部１４、制御部２０、履歴記録部４０、情報整理部４１および選択指示部４２は、集積回路として実現されてもよい。
【０２２５】
なお、本発明は、その発明の範囲内において、実施の形態、実施の形態の変形例を自由に組み合わせたり、実施の形態、実施の形態の変形例を適宜、変形、省略することが可能である。
【産業上の利用可能性】
【０２２６】
本発明は、ユーザが所望するチャンネルを迅速に選択することを可能としたテレビジョン受信装置として、利用することができる。
【符号の説明】
【０２２７】
１４  選択部、２０  制御部、４０  履歴記録部、４１  情報整理部、４２  選択指示部、６０  表示部、１００  テレビジョン受信装置、２００  リモートコントローラ、ＤＢ  番組履歴データベース。
【図１】
2013201497.tif 000003
【図２】
2013201497.tif 000004
【図３】
2013201497.tif 000005
【図４】
2013201497.tif 000006
【図５】
2013201497.tif 000007